(57)【要約】【課題】セキュリティを担保しつつ、簡易な操作で他の端末から原稿画像を取得させる。【解決手段】原稿画像ごとに、記憶先情報と、原稿画像を参照可能な端末を示す端末情報と、端末追加画面情報とを関連づけて、参照情報として記憶する参照情報記憶部９３ｄと、参照可能な端末に対して、記憶先情報と端末追加画面情報とを送信する送信部１０４と、端末１から原稿画像に対して、記憶先情報に基づいた参照要求または端末追加画面情報に基づいた参照可能な端末の追加要求がされた場合、参照情報に基づいて、要求した端末が、当該原稿画像に対して参照可能端末か否かを判定する判定部１０５と、参照要求した端末が参照可能端末であると判定された場合には、原稿画像の参照を許可する参照許可部１０９と、追加要求した端末が参照可能端末であると判定された場合には、追加要求の端末を示す端末情報を参照情報に追加する参照情報記憶制御部１０６とを備える。【選択図】図２
2018207196.tif 000002
【特許請求の範囲】
【請求項１】
通信回線を介して複数の端末と接続された画像処理装置であって、
原稿から原稿画像を読み取る読取手段と、
前記読取手段で読み取った複数の原稿画像を記憶する原稿画像記憶手段と、
各原稿画像ごとに、前記原稿画像記憶手段における記憶先を示す記憶先情報と、原稿画像を参照可能な端末を示す参照可能端末の情報と、参照可能端末を追加するための画面を表示するための端末追加画面情報とを関連づけて、参照情報として記憶する参照情報記憶手段と、
前記参照可能端末に対して、前記記憶先情報と前記端末追加画面情報とを送信する送信手段と、
前記複数の端末のいずれかから前記複数の原稿画像のいずれかに対して、前記記憶先情報に基づいた参照要求または前記端末追加画面情報に基づいた参照可能端末の追加要求がされた場合、前記参照情報に基づいて、前記いずれかの端末が、当該原稿画像に対応づけられた参照可能端末であるか否かを判定する判定手段と、
前記判定手段により参照要求した端末が参照可能端末であると判定された場合には、当該参照要求された原稿画像の参照を許可する参照許可手段と、
前記判定手段により参照可能な端末の追加要求した端末が参照可能端末であると判定された場合には、追加要求の端末を示す端末情報を前記参照情報に追加する参照情報記憶制御手段と、
を備えたことを特徴とする画像処理装置。
【請求項２】
グループを識別するグループＩＤと、前記グループに属する端末情報とを関連づけて、グループ情報として記憶するグループ情報記憶手段と、
前記原稿画像を参照可能なグループＩＤが入力された場合、前記グループ情報に基づいて前記入力されたグループＩＤに対応する端末情報を、参照可能端末の情報として取得する取得手段と、をさらに備え、
前記送信手段は、前記原稿画像を参照可能なグループＩＤが入力された場合、前記入力されたグループＩＤに対応する端末に対して、前記原稿画像に対応する記憶先情報を送信することを特徴とする請求項１記載の画像処理装置。
【請求項３】
前記グループ情報は、さらに、前記グループの参照制限回数が関連づけて記憶され、
前記グループに属する端末による前記原稿画像の参照回数を積算する積算手段を、さらに備え、
前記判定手段は、
所定の原稿画像を参照要求した端末が参照可能端末であっていずれかのグループに属するか否かを、前記グループ情報及び前記参照情報に基づいて判定する第一判定手段と、
前記第一判定手段により参照可能端末であっていずれかのグループに属すると判定された場合には、前記グループに対応する参照制限回数と、前記積算手段による積算された参照回数に基づいて、今回の参照が前記参照制限回数以下であるか否かを判定する第二判定手段と、を有し、
前記参照許可手段は、今回の参照が前記参照制限回数以下である場合に、前記所定の原稿画像の参照を許可する
ことを特徴とする請求項２記載の画像処理装置。
【発明の詳細な説明】
【技術分野】
【０００１】
本発明は、セキュリティを担保しつつ、簡易な操作で他の端末から原稿画像を取得させる画像処理装置に関する。
【背景技術】
【０００２】
近年、オフィスでは、複数のコンピュータと画像形成装置とをネットワークを介して接続し、複数のコンピュータ間で画像形成装置を共有して使用されている。
【０００３】
このような使用環境では、画像形成装置でスキャンした画像データを画像形成装置内の記憶部で記憶し、コンピュータが画像形成装置にアクセスして記憶された画像データを取得することも可能である。
【０００４】
ここで、画像形成装置でスキャンした画像データには機密情報が含まれている場合が多い。そのため、不特定のコンピュータから画像形成装置にアクセスし記憶された画像データを取得可能であると、セキュリティ上問題となる場合がある。
【０００５】
そこで、特許文献１には、スキャンデータを格納しているフォルダのＵＲＬとコンピュータのＩＰアドレスとを対応付けて対応情報として記憶しておき、コンピュータからスキャナにアクセスリクエストがあった場合に、アクセスリクエストに含まれるコンピュータのＩＰアドレスと、対応情報のＩＰアドレスとが一致する場合のみ、コンピュータにスキャンデータを送信するスキャナに関する技術が開示されている。
【先行技術文献】
【特許文献】
【０００６】
【特許文献１】特開２００９−１８８４９３号公報
【発明の概要】
【発明が解決しようとする課題】
【０００７】
特許文献１に開示されたスキャナでは、ＩＰアドレスが一致する場合のみ、コンピュータにスキャンデータを送信するので、他のコンピュータからスキャンデータを取得することはできない。
【０００８】
しかしながら、ユーザによる例えばコンピュータの追加等、新たに他のコンピュータからスキャンデータを取得することが必要になる場合もある。その場合、再度スキャンした後、対応情報に取得させたいコンピュータのＩＰアドレスを追加し、ＩＰアドレスが追加されたコンピュータからスキャナにスキャンリクエストを送信する必要があった。
【０００９】
そのため、ユーザは、他のコンピュータ（端末）からスキャンデータ（原稿画像）を取得したい場合、再度、スキャン操作からやり直す必要があり、作業の効率が良くなかった。
【００１０】
本発明は上記に鑑みてなされたもので、セキュリティを担保しつつ、簡易な操作で他の端末から原稿画像を取得させることを可能とする画像処理装置を提供することを目的とする。
【課題を解決するための手段】
【００１１】
上記目的を達成するため、本発明に係る画像処理装置の第１の特徴は、
通信回線を介して複数の端末と接続された画像処理装置であって、
原稿から原稿画像を読み取る読取手段と、
前記読取手段で読み取った複数の原稿画像を記憶する原稿画像記憶手段と、
各原稿画像ごとに、前記原稿画像記憶手段における記憶先を示す記憶先情報と、原稿画像を参照可能な端末を示す参照可能端末の情報と、参照可能端末を追加するための画面を表示するための端末追加画面情報とを関連づけて、参照情報として記憶する参照情報記憶手段と、
前記参照可能端末に対して、前記記憶先情報と前記端末追加画面情報とを送信する送信手段と、
前記複数の端末のいずれかから前記複数の原稿画像のいずれかに対して、前記記憶先情報に基づいた参照要求または前記端末追加画面情報に基づいた参照可能端末の追加要求がされた場合、前記参照情報に基づいて、前記いずれかの端末が、当該原稿画像に対応づけられた参照可能端末であるか否かを判定する判定手段と、
前記判定手段により参照要求した端末が参照可能端末であると判定された場合には、当該参照要求された原稿画像の参照を許可する参照許可手段と、
前記判定手段により参照可能な端末の追加要求した端末が参照可能端末であると判定された場合には、追加要求の端末を示す端末情報を前記参照情報に追加する参照情報記憶制御手段と、
を備えたことにある。
【発明の効果】
【００１２】
本発明に係る画像処理装置の第１の特徴によれば、セキュリティを担保しつつ、簡易な操作で他の端末から原稿画像を取得させることができる。
【図面の簡単な説明】
【００１３】
【図１】本発明の第１実施形態に係る画像処理装置を有するプリンタネットワークシステムの概略構成を示す説明図である。
【図２】本発明の第１実施形態に係る画像処理装置が有する制御ユニット内に構築される内部構成を示すブロック図である。
【図３】本発明の第１実施形態に係る画像処理装置の外部記憶装置が有する参照情報記憶部に記憶された参照情報の一例を示した図である。
【図４】第１実施形態に係る画像処理装置の原稿画像記憶処理の処理内容を示すフローチャートである。
【図５】第１実施形態に係る画像処理装置の参照制御処理の処理内容を示すフローチャートである。
【図６】本発明の第２実施形態に係る画像処理装置が有する制御ユニット内に構築される内部構成を示すブロック図である。
【図７】本発明の第２実施形態に係る画像処理装置の原稿画像記憶処理の処理内容を示すフローチャートである。
【図８】本発明の第２実施形態に係る画像処理装置の参照制御処理の処理内容を示すフローチャートである。
【図９】本発明の第３実施形態に係る画像処理装置の参照制御処理の処理内容を示すフローチャートである。
【図１０】本発明の第４実施形態に係る画像処理装置の参照制御処理の処理内容を示すフローチャートである。
【発明を実施するための形態】
【００１４】
以下、本発明の実施の形態について、図面を参照して説明する。各図面を通じて同一もしくは同等の部位や構成要素には、同一もしくは同等の符号を付している。ただし、図面は模式的なものであり、現実のものとは異なることに留意すべきである。また、図面相互間においても互いの寸法の関係や比率が異なる部分が含まれていることはもちろんである。
【００１５】
また、以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００１６】
以下に添付図面を参照して、本発明に係る画像処理装置の実施形態を詳細に説明する。
【００１７】
＜第１実施形態＞
図１は、本発明の第１実施形態に係る画像処理装置を有するプリンタネットワークシステムの概略構成を示す説明図である。
【００１８】
なお、第１実施形態では、画像処理装置の一例として、多数のノズルが形成されたインクヘッドを複数備え、それぞれのインクヘッドから黒又はカラーインクを吐出してライン単位で印刷を行い、搬送ベルト上の記録用紙上に複数の画像を互いに重なり合うように形成するインクジェット方式のインクジェット記録装置を例に挙げて説明する。
【００１９】
（プリンタネットワークシステムの全体構成）
図１に示すように、第１実施形態のプリンタネットワークシステムは、印刷用紙に画像を形成する画像処理装置９と、ネットワークＬＡＮを介して画像処理装置９と接続される端末１ａ，１ｂとを有している。端末１ａ，１ｂは同一の構成を有しており、端末１ａ，１ｂを区別して説明する必要がない場合には、総称して端末１として説明する。
【００２０】
ネットワークＬＡＮは、通信プロトコルＴＣＰ／ＩＰを用いた１０ＢＡＳＥ−Ｔや１００ＢＡＳＥ−ＴＸ等によるローカルネットワーク（ＬＡＮ）や無線ＬＡＮ（ＷＬＡＮ）等の無線ネットワークであり、例えば、ピア・トゥー・ピアによる家庭内ネットワークなどの簡易的なネットワークなども含まれる。
【００２１】
端末１は、ＰＣ（パーソナルコンピュータ）等の汎用コンピュータによって構成されるものである。この端末１は、制御プログラムに基づいて各種の処理を実行するＣＰＵ１６を備えている。また、ＣＰＵ１６には、ワーキングエリアとして機能するＲＡＭ１８や、データを格納するＲＯＭ１７等が接続されているとともに、各種インターフェイスを介して種々のデバイスと接続されている。具体的にはＣＰＵ１６は、各種インターフェイスを介して、キーボードやマウス等から構成される入力部１９、液晶ディスプレイ等から構成された出力部２０、大容量の記憶装置などの外部記憶装置２１、ディスク記録媒体５０に記録されたデータを読み取るとともにディスク記録媒体５０に所定のデータを書き込むディスクドライブ２２、ネットワークＬＡＮに接続する外部インターフェイス部１５などが接続されている。
【００２２】
外部インターフェイス部１５は、端末１を識別するマックアドレスを有しており、このマックアドレスを用いてネットワークＬＡＮを介して画像処理装置９と通信を確立する。ここでは、端末１ａは、「００：１１：２２：ＡＡ：ＢＢ：ＣＣ」のマックアドレスを有しており、端末１ｂは、「００：１１：２２：３３：４４：５５」のマックアドレスを有しているとする。
【００２３】
出力部２０は、後述するように、画像処理装置９から送信されてきた記憶先情報（原稿画像の記憶場所を示すＵＲＬ）を表示したり、端末追加画面情報（追加画面を表示させるＵＲＬ）に基づいて、追加画面を表示したりする。
【００２４】
入力部１９は、出力部２０により表示された記憶先情報や端末追加画面情報のクリック操作を受け付けたり、表示された追加画面から端末の追加を指示する操作を受け付けたりする。
【００２５】
外部記憶装置２１には、文書、画像等の印刷画像を含む原稿データを生成するためのアプリケーションプログラムの格納領域、画像処理装置９のプリンタドライバプログラムの格納領域、その他各種アプリケーションプログラムの格納領域が確保されている。
【００２６】
ＣＰＵ１６は、プロセッサやメモリその他の周辺装置によって構成される演算装置であり、入力部１９から入力される起動要求に従って外部記憶装置２１のアプリケーションプログラムを起動させる。
【００２７】
そして、ＣＰＵ１６は、アプリケーションプログラム等で生成した原稿データの印刷要求が入力された場合に、プリンタドライバプログラムをＣＰＵ１６上で実行させることでＣＰＵ上にプリンタドライバ１１を仮想的に構築する。そして、プリンタドライバ１１によって画像処理装置９に印刷ジョブを出力させる。
【００２８】
画像処理装置９は、多数のノズルが形成されたインクジェットヘッドを複数備え、それぞれのインクジェットヘッドから黒又はカラーインクを吐出してライン単位で印刷を行い、搬送ベルト上の印刷媒体上に複数の画像を互いに重なり合うように形成させて印刷媒体に画像を印刷するインクジェット方式のカラープリンタである。
【００２９】
第１実施形態において、この画像処理装置９には、原稿上の画像情報を原稿画像として読み取って画像信号を出力するスキャナ部９８と、画像処理装置９で実行される処理機能に対する操作情報を表示し、スキャン動作に関する命令を含むユーザ操作を受け付ける操作パネル９７と、スキャナ部９８から出力された画像信号、或いは端末１から送信された印刷ジョブに基づいて記録紙に印刷画像を印刷するプリンタ部９６と、情報機器全体の制御を行う制御ユニット９０とを備える。プリンタ部９６における印刷画像の印刷に使用する記録紙は、不図示の給紙部からプリンタ部９６又は外部装置を介して不図示の排紙部に搬送される。
【００３０】
制御ユニット９０の外部インターフェイス部９４には、ローカルエリアネットワークＬＡＮを介して、複数の端末１における外部インターフェイス部１５がそれぞれ接続されている。
【００３１】
制御ユニット９０は、各端末１から印刷ジョブを受け取り、印刷ジョブにおいて指定された条件で、印刷画像の記録紙への印刷をプリンタ部９６において実行する。
【００３２】
また、制御ユニット９０には、操作画面とこれを覆うタッチパネルとで構成された操作パネル９７が接続されている。この操作パネル９７は、画像処理装置９の上部に配置されている。この操作パネル９７は、スキャナ部９８にセットした原稿から原稿画像を読み取る際の設定条件を、ユーザが入力する入力操作部等として利用できる。
【００３３】
制御ユニット９０は、ＣＰＵ９５を備える。このＣＰＵ９５は、ＣＰＵやＤＳＰ（Ｄｉｇｉｔａｌ  Ｓｉｇｎａｌ  ＰｒｏｃｅＳＳｏｒ）等のプロセッサ、メモリ、及びその他の電子回路等のハードウェア、或いはその機能を持ったプログラム等のソフトウェア、又はこれらの組み合わせなどによって構成された演算処理装置である。ＣＰＵ９５は、ＲＯＭ９１に格納されているプログラム及び設定情報に基づいて、操作パネル９７から入力設定される内容に応じたスキャナ部９８やプリンタ部９６の動作を制御する。
【００３４】
なお、制御ユニット９０にはＲＡＭ９２が設けられており、このＲＡＭ９２には、操作パネル９７から入力されたスキャン時の白黒／カラー設定など各種の設定内容等が一時的に記憶される。
【００３５】
さらに、制御ユニット９０には外部記憶装置９３が設けられており、この外部記憶装置９３はＣＰＵ９５に接続されている。
【００３６】
（制御ユニット９０の構成）
次に、制御ユニット９０の内部ブロックについて説明する。
【００３７】
図２は、本発明の第１実施形態に係る画像処理装置９が有する制御ユニット９０内に構築される内部構成を示すブロック図である。なお、第１実施形態中で用いられる「モジュール」とは、装置や機器等のハードウェア、或いはその機能を持ったソフトウェア、又はこれらの組み合わせ等によって構成され、所定の動作を達成するための機能単位を示す。
【００３８】
図２に示すように、制御ユニット９０のＣＰＵ９５上には、印刷ジョブ受信部１０１と、書き込み部１０２と、取得部１０３と、送信部１０４と、判定部１０５と、参照情報記憶制御部１０６と、配信部１０７と、印字制御部１０８、参照許可部１０９とが仮想的に構築される。
【００３９】
また、印刷ジョブ記憶部９３ａと、原稿画像記憶部９３ｂと、追加画面記憶部９３ｃと、参照情報記憶部９３ｄとが、外部記憶装置９３の記憶領域として構成されている。
【００４０】
印刷ジョブ記憶部９３ａは、後述する印刷ジョブ受信部１０１により受信した印刷ジョブを記憶する。
【００４１】
原稿画像記憶部９３ｂは、スキャナ部９８で読み取った原稿画像を記憶する。
【００４２】
追加画面記憶部９３ｃは、端末１の出力部２０に表示させるための追加画面を記憶する。この追加画面は、原稿画像記憶部９３ｂに記憶された原稿画像に対して参照可能な端末を追加するための画面である。
【００４３】
参照情報記憶部９３ｄは、参照許可または参照可能な端末を追加するための参照情報を記憶する。
【００４４】
図３は、本発明の第１実施形態に係る画像処理装置９の外部記憶装置９３が有する参照情報記憶部９３ｄに記憶された参照情報の一例を示した図である。
【００４５】
図３に示すように、参照情報は、原稿画像記憶部９３ｂに記憶された原稿画像を一意に識別する原稿画像ＩＤと、記憶先情報（記憶された原稿画像の記憶場所を示すＵＲＬ）と、原稿画像を参照可能な端末を示す端末情報（マックアドレス）と、参照可能な端末を追加するための画面を表示するための端末追加画面情報（追加画面を表示させるＵＲＬ）とが関連づけられている。
【００４６】
例えば、端末情報に登録された端末１の入力部１９から記憶先情報（原稿画像の記憶場所を示すＵＲＬ）がクリック操作されると、端末１は、画像処理装置９から該当の原稿画像をダウンロードできる。また、端末情報に登録された端末１の入力部１９から端末追加画面情報（追加画面を表示させるＵＲＬ）がクリック操作されると、端末１の出力部２０に、該当の原稿画像に対応する追加画面が表示される。
【００４７】
図３に示した例では、原稿画像ＩＤが「００２」である原稿画像を参照可能であるのは、「００：１１：２２：ＡＡ：ＢＢ：ＣＣ」のマックアドレスを有する端末１ａであり、その他のマックアドレスを有する端末１ｂは、原稿画像ＩＤが「００２」である原稿画像の参照することはできない。
【００４８】
印刷ジョブ受信部１０１は、一連の印刷処理単位である印刷ジョブを受信し、受信した印刷ジョブを外部記憶装置９３の印刷ジョブ記憶部９３ａに記憶させるモジュールである。
【００４９】
書き込み部１０２は、スキャナ部９８で読み取られた原稿画像に原稿画像ＩＤを付与して、原稿画像記憶部９３ｂに記憶させる。また、書き込み部１０２は、参照情報記憶部９３ｄに参照情報を記憶する。
【００５０】
取得部１０３は、操作パネル９７からユーザによる操作信号を受信するモジュールであり、受信した操作信号を解析し、ユーザ操作に応じた処理を他のモジュールに実行させる。また、取得部１０３は、操作パネル９７からプリント機能、スキャナ機能、及びコピー機能を実行する指示信号を取得する。さらに、取得部１０３は、スキャナ部９８により原稿画像が読み取られたときに、操作パネル９７から、この読み取られた原稿画像を参照可能とする端末１を示す端末情報が入力されると、この入力された端末情報を取得する。
【００５１】
送信部１０４は、原稿画像を参照可能な端末１を示す端末情報が入力されると、外部インターフェイス部９４を介して、参照可能な端末１に対して、記憶先情報と端末追加画面情報とを送信するモジュールである。
【００５２】
判定部１０５は、ネットワークＬＡＮを介して接続された端末１からいずれかから複数の原稿画像のいずれかに対して、記憶先情報に基づいた参照要求または端末追加画面情報に基づいた参照可能な端末の追加要求がされた場合、参照情報記憶部９３ｄに記憶された参照情報に基づいて、参照要求または参照可能な端末の追加要求した端末が、当該原稿画像に対応付けたれた参照可能端末か否かを判定するモジュールである。具体的には、判定部１０５は、ネットワークＬＡＮを介して接続された端末１のマックアドレスを取得し、参照情報に基づいて、この取得したマックアドレスが要求した原稿画像に対応する端末情報に含まれていれば、参照可能端末であると判定する。
【００５３】
例えば、端末１ａから原稿画像ＩＤが「００２」である原稿画像の参照要求があった場合、図３の参照情報に示したとおり、原稿画像ＩＤが「００２」である原稿画像の端末情報として、端末１ａのマックアドレスである「００：１１：２２：ＡＡ：ＢＢ：ＣＣ」が設定されているので、判定部１０５は、参照要求した端末１ａは参照可能端末であると判定する。
【００５４】
参照許可部１０９は、判定部１０５により参照要求した端末が参照可能端末であると判定された場合には、当該参照要求された原稿画像の参照を許可するモジュールである。具体的には、参照可能な端末１ａの入力部１９から、原稿画像ＩＤが「００２」である原稿画像の記憶先情報がクリック操作されると、参照許可部１０９は、後述する配信部１０７により原稿画像ＩＤが「００２」である原稿画像を端末１ａへ送信することを許可する。
【００５５】
参照情報記憶制御部１０６は、判定部１０５により参照可能な端末の追加要求した端末が参照可能端末であると判定された場合には、追加要求の端末を示す端末情報を、参照情報記憶部９３ｄに記憶された参照情報に追加する。
【００５６】
例えば、端末１ａの出力部２０は、画像処理装置９から送信されてきた端末追加画面情報（追加画面を表示させるＵＲＬ）を表示する。端末１ａの入力部１９から端末追加画面情報がクリック操作されると、端末１ａの出力部２０に、原稿画像ＩＤが「００２」である原稿画像に対応して参照可能としたい端末の追加画面が表示される。そして、出力部２０に表示された追加画面から参照したい端末（例えば、端末１ｂ）の追加が要求されると、参照情報記憶制御部１０６は、追加要求の端末１ｂを示す端末情報を、参照情報記憶部９３ｄに記憶された原稿画像ＩＤが「００２」である原稿画像に対応する参照情報に追加する。
【００５７】
配信部１０７は、原稿画像や追加画面を送信するモジュールである。具体的には、配信部１０７は、参照許可部１０９により、原稿画像の参照が許可されると、外部インターフェイス部９４を介して、該当の原稿画像を参照可能な端末１へ送信する。また、配信部１０７は、外部インターフェイス部９４を介して、該当の原稿画像に対応する追加画面を送信する。
【００５８】
印字制御部１０８は、各色のインクジェットヘッドの駆動や、給紙経路、搬送経路、排紙経路などの各駆動手段の動作を制御し、画像形成処理全体を制御するモジュールであり、スケジューリングに従ったタイミング及び印字速度で画像形成を行う。より具体的には、印字制御部１０８は、取得部１０３により取得された操作信号と印刷ジョブ記憶部９３ａに記憶された印刷ジョブに基づいて、搬送される用紙に対して、インクジェットヘッドから０ドロップ〜７ドロップのいずれかのドロップ数でインクを吐出することによりライン単位で印刷する。
【００５９】
次に、第１実施形態に係る画像処理装置９の動作について説明する。
【００６０】
（原稿画像記憶処理）
図４は、第１実施形態に係る画像処理装置９の原稿画像記憶処理の処理内容を示すフローチャートである。
【００６１】
図４に示すように、スキャナ部９８により原稿画像が読み取られると（ステップＳ１０１；ＹＥＳ）、書き込み部１０２は、スキャナ部９８で読み取られた原稿画像に原稿画像ＩＤを付与して、原稿画像記憶部９３ｂに記憶させる（ステップＳ１０３）。
【００６２】
そして、操作パネル９７から、この読み取られた原稿画像を参照可能にする端末を示す端末情報が入力されると（ステップＳ１０５；ＹＥＳ）、取得部１０３がこの入力された端末情報を取得し、書き込み部１０２が、記憶された原稿画像の原稿画像ＩＤと、記憶された原稿画像の記憶先を示す記憶先情報と、取得部１０３により取得した端末情報と、端末追加画面情報とを関連づけて、参照情報として記憶する（ステップＳ１０７）。
【００６３】
次に、送信部１０４は、外部インターフェイス部９４を介して、参照可能な端末１に対して、記憶先情報と端末追加画面情報とを送信する（ステップＳ１０９）。
【００６４】
（参照制御処理）
図５は、第１実施形態に係る画像処理装置９の参照制御処理の処理内容を示すフローチャートである。
【００６５】
図５に示すように、ネットワークＬＡＮを介して接続された端末１から原稿画像に対してアクセス要求があると（ステップＳ２０１；ＹＥＳ）、判定部１０５は、参照情報記憶部９３ｄに記憶された参照情報に基づいてアクセスを要求した端末１が参照可能端末か否かを判定する（ステップＳ２０３）。なお、ここでのアクセス要求は、記憶先情報に基づいた原稿画像の参照要求や、端末追加画面情報に基づいた原稿画像に対する参照可能な端末の追加要求に加え、原稿画像の編集要求や削除要求なども含まれるとする。
【００６６】
参照可能端末ではないと判定された場合（ステップＳ２０３；ＮＯ）、判定部１０５は、外部インターフェイス部９４を介して、参照可能端末ではないことを示すエラーメッセージを、アクセスを要求した端末１へ送信する（ステップＳ２０５）。
【００６７】
参照可能端末であると判定された場合（ステップＳ２０３；ＹＥＳ）、判定部１０５は、アクセス要求が、記憶先情報（記憶された原稿画像の記憶場所を示すＵＲＬ）に基づく原稿画像の参照の要求であったか否かを判定する（ステップＳ２０７）。
【００６８】
原稿画像の参照の要求であった場合（ステップＳ２０７；ＹＥＳ）、参照許可部１０９は、原稿画像の参照を許可し、配信部１０７が、外部インターフェイス部９４を介して、参照が要求された原稿画像を参照可能な端末１へ送信する（ステップＳ２０９）。
【００６９】
一方、原稿画像の参照の要求ではなかった場合（ステップＳ２０７；ＮＯ）、判定部１０５は、アクセス要求が、端末追加画面情報（追加画面を表示させるＵＲＬ）がクリック操作されることによる追加画面の表示の要求であったか否かを判定する（ステップＳ２１１）。
【００７０】
追加画面の表示の要求でなかった場合（ステップＳ２１１；ＮＯ）、アクセス要求は、原稿画像の参照の要求、および追加画面の表示の要求のいずれでもなく、例えば、原稿画像の編集要求や削除要求など権限のない要求であるので、処理をステップＳ２０５へ移行し、エラーを送信する。
【００７１】
追加画面の表示の要求であった場合（ステップＳ２１１；ＹＥＳ）、配信部１０７は、外部インターフェイス部９４を介して、要求された原稿画像に対応する端末の追加画面を送信する（ステップＳ２１３）。これにより、端末１の出力部２０に、該当の原稿画像に対応する追加画面を表示させることができる。
【００７２】
次に、追加画面から参照可能な端末１の追加が要求されると（ステップＳ２１５；ＹＥＳ）、参照情報記憶制御部１０６は、追加要求の端末１を示す端末情報を参照情報に追加し（ステップＳ２１７）、送信部１０４が、追加された端末１に対して、記憶先情報をメール送信すると共に、追加画面から参照可能な端末１の追加を要求した端末１に対して、追加された旨をメール送信する（ステップＳ２１９）。
【００７３】
以上のように、本発明の第１実施形態に係る画像処理装置９によれば、判定部１０５が、ネットワークＬＡＮを介して接続された複数の端末のいずれかから複数の原稿画像のいずれかに対して、記憶先情報に基づいた参照要求または端末追加画面情報に基づいた参照可能端末の追加要求がされた場合、参照情報に基づいて、いずれかの端末が、当該原稿画像に対応づけられた参照可能端末であるか否かを判定し、判定部１０５により参照要求した端末１が参照可能端末であると判定された場合には、参照許可部１０９が、当該参照要求された原稿画像の参照を許可し、判定部１０５により参照可能な端末１の追加要求した端末が参照可能端末であると判定された場合には、参照情報記憶制御部１０６が、追加要求の端末を示す端末情報を参照情報に追加する。
【００７４】
そのため、参照不可の端末１から原稿画像を取得したい場合においても、再度原稿をスキャンすることなく、参照可能端末から、参照不可の端末１の端末情報を参照情報に追加することができるので、新たに参照情報に追加された端末１からも原稿画像を取得することができる。このように、本発明の第１実施形態に係る画像処理装置９によれば、セキュリティを担保しつつ簡易な操作で、参照可能な端末１を設定することができる。
【００７５】
＜第２実施形態＞
本発明の第１実施形態では、原稿画像を参照可能な端末１を示す端末情報が入力されると、この端末情報を含む参照情報を記憶する画像処理装置９を例に挙げて説明したが、これに限らず、グループを入力するようにしてもよい。
【００７６】
図６は、本発明の第２実施形態に係る画像処理装置９Ａが有する制御ユニット９０Ａ内に構築される内部構成を示すブロック図である。なお、図６に示した構成のうち、図１に示した第１実施形態に係る画像処理装置９が有する同一符号が付された構成については、同一機能を有するので、説明を省略する。
【００７７】
図６に示すように、制御ユニット９０ＡのＣＰＵ９５Ａ上には、印刷ジョブ受信部１０１と、書き込み部１０２と、取得部１０３Ａと、送信部１０４Ａと、判定部１０５Ａと、参照情報記憶制御部１０６と、配信部１０７と、印字制御部１０８と、参照許可部１０９と、積算部１１０とが仮想的に構築される。また、外部記憶装置９３には、さらに、グループ情報記憶部９３ｅが記憶領域として構成されている。
【００７８】
グループ情報記憶部９３ｅは、１以上の端末１が属するグループを識別するグループＩＤと、グループに属する端末情報と、グループの参照制限回数とを関連づけて、グループ情報として記憶する。このグループは、例えば、部署単位など任意に設定される。また、グループの参照制限回数は、グループに属さない端末の参照制限回数以下に設定されている。グループに属さない端末の参照制限回数は、必ずしも設定される必要はなく、設定されていない場合、無制限として認識される。グループに属さない端末の参照制限回数が設定された場合、参照情報に、さらにグループに属さない端末の参照制限回数として記憶してもよいし、グループに属さない端末の端末情報と参照制限回数とを関連づけて参照情報とは異なる情報として記憶しておくようにしてもよい。
【００７９】
取得部１０３Ａは、スキャナ部９８により原稿画像が読み取られたときに、操作パネル９７から、この読み取られた原稿画像を参照可能とするグループＩＤが入力された場合、グループ情報記憶部９３ｅに記憶されたグループ情報に基づいて、入力されたグループＩＤに対応する端末情報を、原稿画像を参照可能な端末を示す端末情報として取得する。また、取得部１０３Ａは、スキャナ部９８により原稿画像が読み取られたときに、操作パネル９７から、この読み取られた原稿画像を参照可能とする端末１を示す端末情報が入力されると、この入力された端末情報を取得する。
【００８０】
送信部１０４Ａは、原稿画像を参照可能とするグループＩＤが入力された場合、入力されたグループＩＤに対応する端末情報の端末１へ、外部インターフェイス部９４を介して記憶先情報を送信する。このとき、送信部１０４Ａは、端末追加画面情報を送信することはない。これは、グループに属する端末１にまで、さらに参照可能な端末を追加させる権限を付与する必要がないからである。
【００８１】
一方、送信部１０４Ａは、グループＩＤではなく、原稿画像を参照可能とする端末情報が直接入力された場合、外部インターフェイス部９４を介して、参照可能な端末１に対して、記憶先情報に加えて、新たに参照可能である端末１を追加するための端末追加画面情報を送信する。
【００８２】
積算部１１０は、グループに属する端末１による原稿画像の参照回数を、端末１毎および原稿画像毎に積算する。例えば端末１ｂが、グループとして設定されているとする。このとき、積算部１１０は、端末１ｂ毎および原稿画像毎に、配信部１０７が原稿画像を送信する度に、その送信した回数を原稿画像の参照回数として積算し、積算した結果を保持する。また、積算部１１０は、グループに属さない端末１による参照可能な回数が設定されている場合には、グループに属さない端末１による原稿画像の参照回数についても積算し、端末１ごとに積算した結果を保持する。なお、参照回数の積算とは、原稿画像が参照される度に参照回数を加算することをいい、積算した結果は端末毎および原稿画像ごとの参照回数の総計となる。
【００８３】
判定部１０５Ａは、所定の原稿画像を参照要求した端末１が参照可能端末であっていずれかのグループに属するか否かを、グループ情報及び参照情報に基づいて判定する。
【００８４】
そして、判定部１０５Ａは、参照可能端末であっていずれかのグループに属すると判定した場合には、グループに対応する参照制限回数と、積算部１１０による積算された参照回数に基づいて、今回の参照が参照制限回数以下であるか否かを判定する。
【００８５】
例えば、参照可能な端末１ｂがグループとして設定されており、このグループの参照制限回数が５回に設定されているとする。また、積算部１１０により積算された原稿画像ＩＤが「００３」である原稿画像の端末１ｂによる積算回数が５回であり、原稿画像ＩＤが「００４」である原稿画像の端末１ｂによる積算回数が４回であるとする。このとき、判定部１０５Ａは、端末１ｂから原稿画像ＩＤが「００４」である原稿画像の参照が要求された場合、この原稿画像について参照可能であると判定する一方、原稿画像ＩＤが「００３」である原稿画像の参照が要求された場合には、この原稿画像について参照不可であると判定する。
【００８６】
次に、第２実施形態に係る画像処理装置９Ａの動作について説明する。
【００８７】
（原稿画像記憶処理）
図７は、第２実施形態に係る画像処理装置９Ａの原稿画像記憶処理の処理内容を示すフローチャートである。なお、図７の処理内容のうち、図４に示した処理と同一のステップ番号が付された処理については、同一の処理であるので説明を省略する。
【００８８】
図７に示すように、原稿画像が原稿画像記憶部９３ｂに記憶されると（ステップＳ１０３）、操作パネル９７から、この原稿画像を参照可能とする端末を示す端末情報が入力されたか、または原稿画像を参照可能とするグループを示すグループＩＤが入力されたかを判定する（ステップＳ３０５）。
【００８９】
そして、操作パネル９７からグループＩＤが入力されると（ステップＳ３０５；グループ入力）、取得部１０３Ａがこの入力されたグループＩＤを取得し、グループ情報記憶部９３ｅに記憶されたグループ情報に基づいて、入力されたグループＩＤに対応する端末情報を、原稿画像を参照可能な端末を示す端末情報として取得する。
【００９０】
次に、書き込み部１０２が、記憶された原稿画像の原稿画像ＩＤと、記憶された原稿画像の記憶先を示す記憶先情報と、取得部１０３Ａにより取得した端末情報と、端末追加画面情報とを関連づけて、参照情報として記憶する（ステップＳ３０９）。
【００９１】
次に、送信部１０４Ａは、入力されたグループＩＤに対応する端末情報の端末１へ、外部インターフェイス部９４を介して記憶先情報を送信する（ステップＳ３１１）。
【００９２】
以上のように、第２実施形態に係る画像処理装置９Ａによれば、原稿画像を参照可能なグループＩＤが入力された場合、取得部１０３Ａが、グループ情報に基づいて入力されたグループＩＤに対応する端末情報を、参照可能端末の情報として取得し、送信部１０４Ａが、原稿画像を参照可能なグループＩＤが入力された場合、入力されたグループＩＤに対応する端末情報に対して、原稿画像に対応する記憶先情報を送信する一方、原稿画像を参照可能な端末情報が入力された場合、参照可能な端末に対して、記憶先情報と端末追加画面情報とを送信する。
【００９３】
そのため、グループＩＤが入力された場合には、入力されたグループＩＤに対応する端末には、参照情報に新たに端末を追加させる権限を持たせることなく、記憶された原稿画像の参照のみを許可することができる。
【００９４】
これにより、むやみに参照可能な端末を増加させることを防止できるので、セキュリティをさらに向上させることができる。また、グループ単位で参照可能な端末を設定したい場合に、個々の端末毎に設定しなくてすむので、ユーザの利便性向上につながる。
【００９５】
（参照制御処理）
図８は、第２実施形態に係る画像処理装置９Ａの参照制御処理の処理内容を示すフローチャートである。なお、図８の処理内容のうち、図５に示した処理と同一のステップ番号が付された処理については、同一の処理であるので説明を省略する。
【００９６】
図８に示すように、ステップＳ２０３において、判定部１０５Ａは、アクセスを要求した端末１が参照可能端末であると判定した場合（ＹＥＳ）、グループ情報記憶部９３ｅに記憶されたグループ情報に基づいて、積算部１１０により積算された参照回数が参照制限回数以下であるか否かを判定する（ステップＳ４０１）。
【００９７】
積算部１１０により積算された参照回数が参照制限回数以下であると判定された場合（ステップＳ４０１；ＹＥＳ）、処理をステップＳ２０７へ移行し、積算部１１０により積算された参照回数が参照制限回数を超えていると判定された場合（ステップＳ４０１；ＮＯ）、処理をステップＳ２０５へ移行する。
【００９８】
以上のように、第２実施形態に係る画像処理装置９Ａによれば、判定部１０５Ａが、所定の原稿画像を参照要求した端末１が参照可能端末であっていずれかのグループに属するか否かを、グループ情報及び参照情報に基づいて判定し、参照可能端末であっていずれかのグループに属すると判定した場合には、グループに対応する参照制限回数と、積算部１１０による積算された参照回数に基づいて、今回の参照が参照制限回数以下であるか否かを判定する。
【００９９】
これにより、例えば、部署内で閲覧させたい原稿画像があった場合、閲覧させたい端末１をグループに登録するだけで、そのグループに所属する端末１に原稿画像を閲覧可能にすることができるので、ユーザの利便性が向上する。その一方で、グループに属する端末１は参照回数が制限される。そのため、グループに所属する端末１から無制限に閲覧させることを防止できるので、セキュリティを向上させることができる。
【０１００】
＜第３実施形態＞
本発明の第１実施形態では、図５に示すように、アクセス要求が追加画面の表示の要求であった場合（ステップＳ２１１；ＹＥＳ）、配信部１０７が、外部インターフェイス部９４を介して、要求された原稿画像に対応する端末の追加画面を送信した（ステップＳ２１３）。
【０１０１】
本発明の第３実施形態では、配信部１０７が端末の追加画面を送信する前にパスワード認証を行う。
【０１０２】
本発明の第３実施形態に係る画像処理装置９Ｂは、予め、参照可能端末の端末情報とパスワードとを関連づけて、認証情報として外部記憶装置９３に記憶しておく。
【０１０３】
図９は、第３実施形態に係る画像処理装置９Ｂの参照制御処理の処理内容を示すフローチャートである。なお、図９の処理内容のうち、図５に示した処理と同一のステップ番号が付された処理については、同一の処理であるので説明を省略する。また、本発明の第３実施形態に係る画像処理装置９Ｂの構成については、図１および図２に示した構成と同一であるので説明を省略する。
【０１０４】
図９に示すように、アクセス要求が追加画面の表示の要求であった場合（ステップＳ２１１；ＹＥＳ）、配信部１０７が、外部インターフェイス部９４を介して、追加画面の表示を要求した端末１に対して、パスワード入力画面を送信する（ステップＳ５０１）。
【０１０５】
そして、送信した端末１から入力されたパスワードを受信すると、受信したパスワードと、外部記憶装置９３に記憶された認証情報における追加画面の表示を要求した端末１（参照可能端末）に対応するパスワードとが一致するか否かを判定する（ステップＳ５０３）。
【０１０６】
パスワードが一致する場合（ステップＳ５０３；ＹＥＳ）、配信部１０７が、要求された原稿画像に対応する端末の追加画面を送信し（ステップＳ２１３）、パスワードが一致しない場合（ステップＳ５０３；ＮＯ）、処理をステップＳ２０５へ移行する。
【０１０７】
これにより、端末情報であるマックアドレスだけでなく、パスワードが一致した場合のみ端末を追加することができる。そのため、使用されている端末のみならず、端末を使用しているユーザを認証した上で、新たな端末の追加を許可することができるので、よりセキュリティを向上させることができる。
【０１０８】
＜第４実施形態＞
本発明の第２実施形態では、図８に示すように、ステップＳ２０３において、判定部１０５Ａが、アクセスを要求した端末１が参照可能端末であると判定した場合（ＹＥＳ）、グループ情報記憶部９３ｅに記憶されたグループ情報に基づいて、積算部１１０により積算された参照回数が参照制限回数以下であるか否かを判定した（ステップＳ４０１）。
【０１０９】
本発明の第４実施形態では、参照可能である期限を参照期限として予め設定し、参照期限内である場合に参照可能とする画像処理装置９Ｃを例に挙げて説明する。
【０１１０】
本発明の第４実施形態に係る画像処理装置９Ｃでは、図３に示した参照情報に、さらに、参照期限が関連づけられて記憶されている。具体的には、本発明の第４実施形態に係る画像処理装置９Ｃが備える参照情報は、原稿画像ＩＤと、記憶先情報（記憶された原稿画像の記憶場所を示すＵＲＬ）と、原稿画像を参照可能な端末を示す端末情報（マックアドレス）と、この端末情報（マックアドレス）ごとの参照期限と、参照可能な端末を追加するための画面を表示するための端末追加画面情報（追加画面を表示させるＵＲＬ）とが関連づけられている。
【０１１１】
図１０は、第４実施形態に係る画像処理装置９Ｃの参照制御処理の処理内容を示すフローチャートである。なお、図１０の処理内容のうち、図５に示した処理と同一のステップ番号が付された処理については、同一の処理であるので説明を省略する。また、本発明の第４実施形態に係る画像処理装置９Ｃの構成については、図１および図２に示した構成と同一であるので説明を省略する。
【０１１２】
図１０に示すように、ステップＳ２０３において、判定部１０５は、アクセスを要求した端末１が参照可能端末であると判定した場合（ＹＥＳ）、参照情報に基づいて、アクセスを要求した端末１に対応する参照期限内か否かを判定する（ステップＳ６０１）。
【０１１３】
判定部１０５により参照期限内であると判定された場合（ステップＳ６０１；ＹＥＳ）、処理をステップＳ２０７へ移行し、判定部１０５により参照期限を超えていると判定された場合（ステップＳ６０１；ＮＯ）、処理をステップＳ２０５へ移行する。
【０１１４】
以上のように、第４実施形態に係る画像処理装置９Ｃによれば、判定部１０５が、参照情報に基づいて、所定の原稿画像を参照要求した端末１が参照可能端末であって、かつ参照期限内であるか否かを判定する。
【０１１５】
これにより、例えば、参照させたい原稿画像があった場合、ある一定の参照期限を予め設定することで端末１に継続的に閲覧させることを防止できるので、よりセキュリティを向上させることができる。
【０１１６】
なお、本発明は上記実施の形態そのままに限定されるものではなく、実施段階ではその要旨を逸脱しない範囲で構成要素を変形して具体化できる。また、上記実施の形態に開示されている複数の構成要素の適宜な組み合わせにより、種々の発明を形成できる。
【０１１７】
例えば、上述した実施形態では、画像処理装置として画像処理装置９を用いた場合を例に説明したが、例えば、孔版印刷装置にも適用可能である。また、ネットワークＬＡＮは、ローカルネットワーク（ＬＡＮ）や無線ＬＡＮ（ＷＬＡＮ）等として説明したが、プリンターケーブルを用いて、画像処理装置９や画像処理装置９Ａと端末１とを接続するようにしてもよい。すなわち、画像処理装置９や画像処理装置９Ａと端末１とは、通信回線を介して接続されていればよい。
【０１１８】
（付記）
本出願は、以下の発明を開示する。
【０１１９】
（付記１）
通信回線を介して複数の端末と接続された画像処理装置であって、
原稿から原稿画像を読み取る読取手段と、
前記読取手段で読み取った複数の原稿画像を記憶する原稿画像記憶手段と、
各原稿画像ごとに、前記原稿画像記憶手段における記憶先を示す記憶先情報と、原稿画像を参照可能な端末を示す参照可能端末の情報と、参照可能端末を追加するための画面を表示するための端末追加画面情報とを関連づけて、参照情報として記憶する参照情報記憶手段と、
前記参照可能端末に対して、前記記憶先情報と前記端末追加画面情報とを送信する送信手段と、
前記複数の端末のいずれかから前記複数の原稿画像のいずれかに対して、前記記憶先情報に基づいた参照要求または前記端末追加画面情報に基づいた参照可能端末の追加要求がされた場合、前記参照情報に基づいて、前記いずれかの端末が、当該原稿画像に対応づけられた参照可能端末であるか否かを判定する判定手段と、
前記判定手段により参照要求した端末が参照可能端末であると判定された場合には、当該参照要求された原稿画像の参照を許可する参照許可手段と、
前記判定手段により参照可能な端末の追加要求した端末が参照可能端末であると判定された場合には、追加要求の端末を示す端末情報を前記参照情報に追加する参照情報記憶制御手段と、
を備えたことを特徴とする画像処理装置。
【０１２０】
（付記２）
グループを識別するグループＩＤと、前記グループに属する端末情報とを関連づけて、グループ情報として記憶するグループ情報記憶手段と、
前記原稿画像を参照可能なグループＩＤが入力された場合、前記グループ情報に基づいて前記入力されたグループＩＤに対応する端末情報を、参照可能端末の情報として取得する取得手段と、をさらに備え、
前記送信手段は、前記原稿画像を参照可能なグループＩＤが入力された場合、前記入力されたグループＩＤに対応する端末に対して、前記原稿画像に対応する記憶先情報を送信することを特徴とする（付記１）記載の画像処理装置。
【０１２１】
（付記３）
前記グループ情報は、さらに、前記グループの参照制限回数が関連づけて記憶され、
前記グループに属する端末による前記原稿画像の参照回数を積算する積算手段を、さらに備え、
前記判定手段は、
所定の原稿画像を参照要求した端末が参照可能端末であっていずれかのグループに属するか否かを、前記グループ情報及び前記参照情報に基づいて判定する第一判定手段と、
前記第一判定手段により参照可能端末であっていずれかのグループに属すると判定された場合には、前記グループに対応する参照制限回数と、前記積算手段による積算された参照回数に基づいて、今回の参照が前記参照制限回数以下であるか否かを判定する第二判定手段と、を有し、
前記参照許可手段は、今回の参照が前記参照制限回数以下である場合に、前記所定の原稿画像の参照を許可する
ことを特徴とする（付記２）記載の画像処理装置。
【符号の説明】
【０１２２】
１（１ａ，１ｂ）  端末
９，９Ａ，９Ｂ，９Ｃ  画像処理装置
１１  プリンタドライバ
１５  外部インターフェイス部
１９  入力部
２０  出力部
２１  外部記憶装置
２２  ディスクドライブ
５０  ディスク記録媒体
９０，９０Ａ  制御ユニット
９３  外部記憶装置
９３ａ  印刷ジョブ記憶部
９３ｂ  原稿画像記憶部
９３ｃ  追加画面記憶部
９３ｄ  参照情報記憶部
９３ｅ  グループ情報記憶部
９４  外部インターフェイス部
９６  プリンタ部
９７  操作パネル
９８  スキャナ部
１０１  印刷ジョブ受信部
１０２  書き込み部
１０３，１０３Ａ  取得部
１０４，１０４Ａ  送信部
１０５，１０５Ａ  判定部
１０６  参照情報記憶制御部
１０７  配信部
１０８  印字制御部
１０９  参照許可部
１１０  積算部
【図１】
2018207196.tif 000003
【図２】
2018207196.tif 000004
【図３】
2018207196.tif 000005
【図４】
2018207196.tif 000006
【図５】
2018207196.tif 000007
【図６】
2018207196.tif 000008
【図７】
2018207196.tif 000009
【図８】
2018207196.tif 000010
【図９】
2018207196.tif 000011
【図１０】
2018207196.tif 000012